(57)【要約】【課題】マテリアルロスを削減して軽量化を図ると共に、車輪取付フランジの面振れ精度を確保してブレーキジャダーの発生を抑制した車輪用軸受装置を提供する。【解決手段】車輪を取り付けるためのハブボルト５が周方向等配に植設された車輪取付フランジ１９をアウター側の端部に有するハブ輪１７を備えた車輪用軸受装置において、車輪取付フランジ１９のアウター側の側面２０が、ハブボルト５が圧入される部位が厚肉部となる花弁状のリブ形状に形成されると共に、車輪取付フランジ１９の外縁部に、側面２０に対して所定の段差を有する逃げ部２１が鍛造加工によって形成されているので、運搬時あるいは車両への組立時に車輪取付フランジ１９の外径縁が相手部品に干渉し、その打痕によるカエリが発生してもこの逃げ部２１で許容することができ、側面２０の面精度に悪影響を及ぼすことはない。【選択図】図６
2008049933.tif 000002
【特許請求の範囲】
【請求項１】
内周に複列の外側転走面が形成された外方部材と、
車輪を取り付けるためのハブボルトが周方向等配に植設された車輪取付フランジを一端部に有し、外周にこの車輪取付フランジから軸方向に延びる小径段部が形成されたハブ輪、およびこのハブ輪の小径段部に嵌合された少なくとも一つの内輪または等速自在継手の外側継手部材からなり、外周に前記複列の外側転走面に対向する複列の内側転走面が形成された内方部材と、
この内方部材と前記外方部材の両転走面間に転動自在に収容された複列の転動体とを備えた車輪用軸受装置において、
前記車輪取付フランジの外縁部に、当該車輪取付フランジのアウター側の側面に対して所定の段差を有する逃げ部が鍛造加工によって形成されていることを特徴とする車輪用軸受装置。
【請求項２】
前記逃げ部の段差が少なくとも０．５ｍｍに設定されている請求項１に記載の車輪用軸受装置。
【請求項３】
前記車輪取付フランジのアウター側の側面が、前記ハブボルトが圧入される部位が厚肉部となる花弁状のリブ形状に形成されている請求項１または２に記載の車輪用軸受装置。
【請求項４】
前記車輪取付フランジのアウター側の側面が前記ハブボルトが圧入された後に切削加工された切削面とされ、この側面の面振れが２０μｍ以下に規制されている請求項１乃至３いずれかに記載の車輪用軸受装置。
【請求項５】
前記車輪取付フランジのインナー側の側面に、ハブボルトが圧入される部位が厚肉部となる花弁状のリブが鍛造加工によって形成されている請求項１乃至４いずれかに記載の車輪用軸受装置。
【発明の詳細な説明】
【技術分野】
【０００１】
本発明は、自動車等の車輪を支持する車輪用軸受装置に関するもので、特に、マテリアルロスを削減して軽量化を図ると共に、車輪取付フランジの面振れ精度を確保してブレーキジャダーの発生を抑制した車輪用軸受装置に関する。
【背景技術】
【０００２】
一般にディスクブレーキの普及によって制動力が増大してきた反面、このディスクブレーキのロータをブレーキパッドにて挟持して制動を行う場合、特に車両低速走行時に振動が発生し、低周波の不快な騒音を誘発することがある。こうした現象はブレーキジャダーと呼ばれ、車両の高性能化や静寂化に伴って、近年、この分析および改善が新しい技術課題として着目されている。
【０００３】
ブレーキジャダーの明確なメカニズムはまだ詳細には解明されてはいないが、その一要因としてブレーキロータのパッド摺接面の振れ精度が挙げられている。この振れ精度は、ブレーキロータ単体の振れ精度だけでなく、ブレーキロータを取り付ける車輪取付フランジの面振れ精度、転がり軸受のアキシアル振れ、転走面の精度、および転がり軸受の組立精度等々が累積され、最終的にブレーキロータ側面の面振れ精度となって現れてくる。
【０００４】
また、近年、低コスト化は言うに及ばず、燃費向上のために軽量化を追求することにより、余肉を排除して車輪用軸受装置をスリム化させることと、操縦安定性のために車輪用軸受装置を剛性アップさせることがなされている。こうした、言わば両者相反する要求を満足しつつ、前述したブレーキロータ側面の面振れ精度対策が種々講じられている。
【０００５】
図９は従来の車輪用軸受装置を示し、（ａ）は側面図で、（ｂ）はその縦断面図である。なお、以下の説明では、車両に組み付けた状態で、車両の外側寄りとなる側をアウター側（図面左側）、中央寄り側をインナー側（図中右側）という。
【０００６】
この車輪用軸受装置は、アウター側の端部に車輪（図示せず）を取り付けるための車輪取付フランジ５５を一体に有し、外周にアウター側の内側転走面５２ａと、この内側転走面５２ａから軸方向に延びる小径段部５４が形成されたハブ輪５２、およびこのハブ輪５２の小径段部５４に圧入され、外周にインナー側の内側転走面５３ａが形成された内輪５３からなる内方部材５１と、外周に車体（図示せず）に取り付けられるための車体取付フランジ６１を一体に有し、内周に複列の転走面６０ａ、６０ｂが形成された外方部材６０と、保持器６２、６２で円周等配され、両転走面間に転動自在に収容された複列のボール６３、６３とを備えている。また、車輪取付フランジ５５の円周等配位置には車輪を固定するためのハブボルト５６が植設されている。
【０００７】
外方部材６０の両端にはシール６４、６５が装着され、外方部材６０と内方部材５１との環状空間を密封し、軸受内部に封入された潤滑グリースの外部への漏洩と、外部から雨水やダスト等が軸受内部に侵入するのを防止している。
【０００８】
車輪取付フランジ５５のアウター側の側面５５ａには旋盤等の一次切削により環状溝５７が形成されている。この環状溝５７の溝幅中央部にはボルト穴５８が円周等配に穿設されている。さらにハブボルト５６の外径に形成されたナール５６ａ部をこのボルト穴５８に圧入固定した後、側面５５ａが旋盤等により二次切削されている。
【０００９】
このように、従来の車輪用軸受装置にあっては、環状溝５７が側面５５ａに形成されていることにより、ハブボルト５６の圧入による側面５５ａの変形等の影響を最小限に抑制することができると共に、ハブボルト５６の圧入後、さらに側面５５ａが二次切削されているので、ハブボルト５６の圧入によって増加した側面５５ａの面振れを可及的に抑制することができる。
【特許文献１】特開２００３−１５４８０１号公報
【発明の開示】
【発明が解決しようとする課題】
【００１０】
然しながら、前述した従来の車輪用軸受装置において、運搬時あるいは車両への組立時、装置が干渉した場合に打痕が付く、特に、図１０（ａ）に示すように、硬化処理が施されていない車輪取付フランジ５５の外径部が相手部品６６に干渉すると、（ｂ）に示すように、その打痕のカエリ６７によって、側面５５ａの面精度が悪化するだけでなく、この側面５５ａにブレーキロータ（図示せず）が密着せず傾くことになる。そして、このブレーキロータの傾きによってブレーキジャダーが発生する恐れがある。
【００１１】
本発明は、このような事情に鑑みてなされたもので、マテリアルロスを削減して軽量化を図ると共に、車輪取付フランジの面振れ精度を確保してブレーキジャダーの発生を抑制した車輪用軸受装置を提供することを目的としている。
【課題を解決するための手段】
【００１２】
係る目的を達成すべく、本発明のうち請求項１に記載の発明は、内周に複列の外側転走面が形成された外方部材と、車輪を取り付けるためのハブボルトが周方向等配に植設された車輪取付フランジを一端部に有し、外周にこの車輪取付フランジから軸方向に延びる小径段部が形成されたハブ輪、およびこのハブ輪の小径段部に嵌合された少なくとも一つの内輪または等速自在継手の外側継手部材からなり、外周に前記複列の外側転走面に対向する複列の内側転走面が形成された内方部材と、この内方部材と前記外方部材の両転走面間に転動自在に収容された複列の転動体とを備えた車輪用軸受装置において、前記車輪取付フランジの外縁部に、当該車輪取付フランジのアウター側の側面に対して所定の段差を有する逃げ部が鍛造加工によって形成されている。
【００１３】
このように車輪取付フランジの外縁部に、当該車輪取付フランジのアウター側の側面に対して所定の段差を有する逃げ部が鍛造加工によって形成されているので、マテリアルロスを削減して軽量化を図ると共に、車輪取付フランジの面振れ精度を確保してブレーキジャダーの発生を抑制した車輪用軸受装置を提供することができる。
【００１４】
好ましくは、請求項２に記載の発明のように、前記逃げ部の段差が少なくとも０．５ｍｍに設定されていれば、運搬時あるいは車両への組立時に車輪取付フランジの外径縁が相手部品に干渉し、その打痕によるカエリが発生してもこの逃げ部で許容することができ、側面の面精度に悪影響を及ぼすことはない。したがって、ブレーキロータをこの側面に傾きなく密着して装着できる。
【００１５】
また、請求項３に記載の発明のように、前記車輪取付フランジのアウター側の側面が、前記ハブボルトが圧入される部位が厚肉部となる花弁状のリブ形状に形成されていれば、制動時に高温となるブレーキロータとの接触面積が減少して熱伝導が抑えられると共に、逃げ部によりブレーキロータと車輪取付フランジとの間に大きな空間が形成されるため放熱効果が期待でき、軸受部の昇温を抑制することができる。したがって、グリースの劣化を防止して軸受の長寿命化を図ることができる。
【００１６】
また、請求項４に記載の発明は、前記車輪取付フランジのアウター側の側面が、前記ハブボルトが圧入された後に切削加工された切削面とされ、この側面の面振れが２０μｍ以下に規制されていれば、ブレーキロータ側面の面振れ精度を所望の規定値に抑制することができ、ブレーキジャダーの発生を抑制することができる。
【００１７】
また、請求項５に記載の発明のように、前記車輪取付フランジのインナー側の側面に、ハブボルトが圧入される部位が厚肉部となる花弁状のリブが鍛造加工によって形成されていれば、軽量化を図りつつ、大きなモーメント荷重がこの車輪取付フランジに負荷されても強度・剛性を確保することができ、所望の耐久性を発揮することができる。
【発明の効果】
【００１８】
本発明に係る車輪用軸受装置は、内周に複列の外側転走面が形成された外方部材と、車輪を取り付けるためのハブボルトが周方向等配に植設された車輪取付フランジを一端部に有し、外周にこの車輪取付フランジから軸方向に延びる小径段部が形成されたハブ輪、およびこのハブ輪の小径段部に嵌合された少なくとも一つの内輪または等速自在継手の外側継手部材からなり、外周に前記複列の外側転走面に対向する複列の内側転走面が形成された内方部材と、この内方部材と前記外方部材の両転走面間に転動自在に収容された複列の転動体とを備えた車輪用軸受装置において、前記車輪取付フランジの外縁部に、当該車輪取付フランジのアウター側の側面に対して所定の段差を有する逃げ部が鍛造加工によって形成されているので、マテリアルロスを削減して軽量化を図ると共に、車輪取付フランジの面振れ精度を確保してブレーキジャダーの発生を抑制した車輪用軸受装置を提供することができる。
【発明を実施するための最良の形態】
【００１９】
外周に車体に取り付けられるための車体取付フランジを一体に有し、内周に複列の外側転走面が形成された外方部材と、車輪を取り付けるためのハブボルトが周方向等配に植設された車輪取付フランジを一端部に有し、外周に前記複列の外側転走面に対向する一方の内側転走面と、この内側転走面から軸方向に延びる小径段部が形成されたハブ輪、およびこのハブ輪の小径段部に圧入され、外周に前記複列の外側転走面に対向する他方の内側転走面が形成された内輪からなる内方部材と、この内方部材と前記外方部材間に転動自在に収容された複列の転動体とを備えた車輪用軸受装置において、前記車輪取付フランジのアウター側の側面が、前記ハブボルトが圧入される部位が厚肉部となる花弁状のリブ形状に形成されると共に、前記車輪取付フランジの外縁部に、当該車輪取付フランジのアウター側の側面に対して所定の段差を有する逃げ部が鍛造加工によって形成されている。
【実施例１】
【００２０】
以下、本発明の実施の形態を図面に基いて詳細に説明する。
図１は、本発明に係る車輪用軸受装置の第１の実施形態を示す縦断面図、図２は、図１のＡ矢視図、図３（ａ）は、本発明に係る車輪用軸受装置が相手部品に干渉した状態を示す説明図、（ｂ）は、（ａ）の干渉部分を示す要部拡大図、図４は、図１のＢ矢視図である。
【００２１】
この車輪用軸受装置は、内方部材１と外方部材１０と複列の転動体（ボール）６、６とを備えている。内方部材１はハブ輪２と別体の内輪３とからなる。ハブ輪２は、アウター側の端部に車輪（図示せず）を取り付けるための車輪取付フランジ４を一体に有し、外周に一方（アウター側）の内側転走面２ａと、この内側転走面２ａから軸方向に延びる小径段部２ｂが形成されている。車輪取付フランジ４の円周等配位置には車輪を固定するためのハブボルト５が植設されている。一方、内輪３は、外周に他方（インナー側）の内側転走面３ａが形成され、ハブ輪２の小径段部２ｂに所定のシメシロを介して圧入されている。そして、この小径段部２ｂの端部を径方向外方に塑性変形（揺動加締）させて形成した加締部２ｃによって軸方向に固定されている。
【００２２】
外方部材１０は、外周に車体（図示せず）に取り付けられるための車体取付フランジ１０ｂを一体に有し、内周に前記内方部材１の内側転走面２ａ、３ａに対向する複列の外側転走面１０ａ、１０ａが一体に形成されている。そして、これら両転走面２ａ、１０ａおよび３ａ、１０ａ間には保持器７、７で円周等配された複列の転動体６、６がそれぞれ転動自在に収容されている。なお、外方部材１０と内方部材１間に形成される環状空間の開口部にはシール８、９が装着され、軸受内部に封入された潤滑グリースの漏洩と、外部から雨水やダスト等が軸受内部に侵入するのを防止している。
【００２３】
ハブ輪２はＳ５３Ｃ等の炭素０．４０〜０．８０重量％を含む中高炭素鋼で形成され、内側転走面２ａをはじめ、アウター側のシール８が摺接するフランジ基部４ａから小径段部２ｂに亙り高周波焼入れによって表面硬さを５８〜６４ＨＲＣの範囲に硬化処理が施されている。なお、加締部２ｃは鍛造後の生のままとされている。こうした高周波焼入れによりハブ輪２の強度が向上し、内輪３の嵌合面におけるフレッティング摩耗が防止されて耐久性が向上すると共に、塑性変形が容易にでき、また、揺動加締時にクラックが発生するのを防止することができる。
【００２４】
一方、内輪３および転動体６はＳＵＪ２等の高炭素クロム軸受鋼からなり、ズブ焼入れにより芯部まで５８〜６４ＨＲＣの範囲で硬化処理されている。また、外方部材１０は、ハブ輪２と同様、Ｓ５３Ｃ等の炭素０．４０〜０．８０重量％を含む中高炭素鋼で形成され、複列の外側転走面１０ａ、１０ａが高周波焼入れによって表面硬さを５８〜６４ＨＲＣの範囲に硬化処理されている。なお、ここでは、転動体６にボールを用いた複列アンギュラ玉軸受を例示したが、これに限らず、転動体６に円錐ころを用いた複列円錐ころ軸受であっても良い。
【００２５】
本実施形態では、ブレーキロータ（図示せず）が取り付けられる車輪取付フランジ４のアウター側の側面１１が、旋盤等の一次切削により所定の平坦面に形成されると共に、車輪取付フランジ４にハブボルト５が圧入された後、この側面１１が旋盤等により二次切削されている。そして、この二次切削により側面１１の面振れが２０μｍ以下に規制されている。これにより、車輪取付フランジ４に装着されたブレーキロータの側面の面振れ精度も高精度にすることができ、ブレーキジャダーの発生を抑制することができる。なお、この二次切削は旋盤に限らず、フライス盤や研削盤による切削であっても良い。
【００２６】
なお、ハブボルト５を圧入する前に、側面１１が粗旋削と中仕上げ旋削からなる一次切削を行い、ハブボルト５の圧入後に二次切削（仕上げ旋削）を行っても良いし、ハブボルト５の圧入前に旋削を行わず鍛造肌のままとし、ハブボルト５の圧入後に切削（仕上げ旋削）を行っても良い。つまり、切削加工の回数は関係なく、ハブボルト５の圧入後に切削するものであれば良い。
【００２７】
ここで、車輪取付フランジ４の外径縁には、アウター側の側面１１に対して所定の段差δを有する環状の逃げ部１２が鍛造加工によって形成されている。逃げ部１２の段差δは少なくとも０．５ｍｍに設定されている。そして、図２に示すように、車輪取付フランジ４の外径縁が周方向に連続して略均一な肉厚に仕上げられている。この逃げ部１２が形成されていることにより、図３（ａ）、（ｂ）に示すように、運搬時あるいは車両への組立時に車輪取付フランジ４の外径縁が相手部品１３に干渉し、その打痕によるカエリ１４が発生してもこの逃げ部１２で許容することができ、側面１１の面精度に悪影響を及ぼすことはない。したがって、ブレーキロータをこの側面１１に傾きなく密着して装着でき、ブレーキジャダーの発生を防止することができる。
【００２８】
また、本実施形態では、軽量化を図るために車輪取付フランジ４が薄肉に形成されると共に、図４に示すように、車輪取付フランジ４のインナー側の側面１５には、鍛造工程において、ハブボルト５が圧入される部位に、厚肉部となる花弁状のリブ１６が形成されている。これにより、軽量化を図りつつ、大きなモーメント荷重がこの車輪取付フランジ４に負荷されても強度・剛性を確保することができ、所望の耐久性を発揮することができる。
【実施例２】
【００２９】
図５は、本発明に係る車輪用軸受装置の第２の実施形態を示す縦断面図、図６は、図５のＣ矢視図、図７は、図５の車輪用軸受装置にブレーキロータが装着された状態を示す縦断面図、図８は、図６に示すハブ輪の変形例である。なお、この実施形態は前述した実施形態（図１）と基本的にはハブ輪の構成が異なるのみで、その他同一部品、同一部位あるいは同一機能を有する部位には同じ符号を付して詳細な説明を省略する。
【００３０】
図５に示す車輪用軸受装置は従動輪側の第３世代と称され、ハブ輪１７とこのハブ輪１７に圧入固定された内輪３とからなる内方部材１８、および外方部材１０と複列の転動体６、６を備えている。ハブ輪１７は、アウター側の端部に車輪（図示せず）を取り付けるための車輪取付フランジ１９を一体に有し、外周に一方（アウター側）の内側転走面２ａと、この内側転走面２ａから軸方向に延びる小径段部２ｂが形成されている。
【００３１】
本実施形態では、図６に示すように、車輪取付フランジ１９のアウター側の側面２０が花弁状のリブ形状に形成されている。すなわち、ハブボルト５が圧入される部位が厚肉部となるように形成され、この側面２０に対して所定の段差δを有する逃げ部２１が鍛造加工によって形成されている。逃げ部２１は、車輪取付フランジ１９の外周部（側面２０の外接円径より外周側）に形成された環状部２１ａと、ハブボルト５の周辺を避けて、各ハブボルト５間に形成されたＲ形状の切欠き部２１ｂからなる。
【００３２】
切欠き部２１ｂは、環状部２１ａより内径側で、かつ隣接するハブボルト５の中心を結ぶ弦Ｌにその最深部２１ｃが近接するように形成されている。これにより、マテリアルロスを削減して軽量化を図りつつ、車輪取付フランジ１９の曲げ剛性が低下するのを防止することができると共に、前述した実施形態と同様、運搬時あるいは車両への組立時に車輪取付フランジ１９の外径縁が相手部品に干渉し、その打痕によるカエリが発生してもこの逃げ部２１で許容することができる。
【００３３】
さらに、アウター側の側面２０が花弁状のリブ形状に形成されているため、図７に示すように、制動時に高温となるブレーキロータ２２との接触面積が減少して熱伝導が抑えられると共に、この逃げ部２１によりブレーキロータ２２と車輪取付フランジ１９との間に大きな空間が形成されるため放熱効果が期待でき、軸受部の昇温を抑制することができる。したがって、グリースの劣化を防止して軸受の長寿命化を図ることができる。
【００３４】
なお、ハブ輪１７を密閉鍛造工法により加工した場合、通常、金型の接合部に数ｍｍ程度のバリが残るが、このバリが逃げ部２１によって許容されるため、従来のようなバリ除去加工が不要となり加工工数が削減できる。
【００３５】
また、前述した実施形態のように、車輪取付フランジ１９のアウター側の側面２０が、旋盤等の一次切削により所定の平坦面に形成されると共に、車輪取付フランジ１９にハブボルト５が圧入された後、この側面２０が旋盤等により二次切削されている。そして、この二次切削により側面２０の面振れが２０μｍ以下に規制されている。
【００３６】
なお、ここでは、外周が円形に形成された車輪取付フランジ１９を例示したが、これに限らず、例えば、図８に示すように花弁状に形成されていても良い。この車輪取付フランジ２３は、ハブボルト５が圧入される部位を頂角とする多角形状（ここでは、５角形状）に形成されている。そして、側面２０に対して所定の段差δを有する逃げ部２５が鍛造加工によって形成されている。この逃げ部２５は、車輪取付フランジ２３の外周部に形成された花弁状の外周部２５ａと、ハブボルト５の周辺を避けて、各ハブボルト５間に形成されたＲ形状の切欠き部２１ｂからなる。これにより、ハブ輪２４の軽量・コンパクト化を一層図ることができると共に、運転中の放熱効果を高めて軸受部の昇温を一層抑制することができる。
【００３７】
以上、本発明の実施の形態について説明を行ったが、本発明はこうした実施の形態に何等限定されるものではなく、あくまで例示であって、例えば、外方部材に車輪取付フランジを有する外輪回転タイプでも良く、本発明の要旨を逸脱しない範囲内において、さらに種々なる形態で実施し得ることは勿論のことである。本発明の範囲は、特許請求の範囲の記載によって示され、さらに特許請求の範囲に記載の均等の意味、および範囲内のすべての変更を含む。
【産業上の利用可能性】
【００３８】
本発明に係る車輪用軸受装置は、一端部にブレーキロータを介して車輪を取り付けるための車輪取付フランジを一体に有するハブ輪と、車輪を回転自在に支承する複列の転がり軸受とを備えた第１世代乃至第４世代のあらゆる構造において適用が可能である。
【図面の簡単な説明】
【００３９】
【図１】本発明に係る車輪用軸受装置の第１の実施形態を示す縦断面図である。
【図２】図１のＡ矢視図である。
【図３】（ａ）は、図１の車輪用軸受装置が相手部品に干渉した状態を示す説明図である。  （ｂ）は、（ａ）の干渉部分を示す要部拡大図である。
【図４】図１のＢ矢視図である。
【図５】本発明に係る車輪用軸受装置の第２の実施形態を示す縦断面図である。
【図６】図５のＣ矢視図である。
【図７】図５の車輪用軸受装置にブレーキロータが装着された状態を示す縦断面図である。
【図８】図６に示すハブ輪の変形例である。
【図９】従来の車輪用軸受装置を示し、（ａ）は側面図、（ｂ）はその縦断面図である。
【図１０】（ａ）は、従来の車輪用軸受装置が相手部品に干渉した状態を示す説明図である。  （ｂ）は、（ａ）の干渉部分を示す要部拡大図である。
【符号の説明】
【００４０】
１、１８・・・・・・・・・内方部材
２、１７、２４・・・・・・ハブ輪
２ａ、３ａ・・・・・・・・内側転走面
２ｂ・・・・・・・・・・・小径段部
２ｃ・・・・・・・・・・・加締部
３・・・・・・・・・・・・内輪
４、１９、２３・・・・・・車輪取付フランジ
４ａ・・・・・・・・・・・フランジ基部
５・・・・・・・・・・・・ハブボルト
６・・・・・・・・・・・・転動体
７・・・・・・・・・・・・保持器
８、９・・・・・・・・・・シール
１０・・・・・・・・・・・外方部材
１０ａ・・・・・・・・・・外側転走面
１０ｂ・・・・・・・・・・車体取付フランジ
１１、２０・・・・・・・・車輪取付フランジのアウター側の側面
１２、２１、２５・・・・・逃げ部
１３・・・・・・・・・・・相手部材
１４・・・・・・・・・・・カエリ
１５・・・・・・・・・・・車輪取付フランジのインナー側の側面
１６・・・・・・・・・・・リブ
２１ａ・・・・・・・・・・環状部
２１ｂ・・・・・・・・・・切欠き部
２２・・・・・・・・・・・ブレーキロータ
２５ａ・・・・・・・・・・外周部
５１・・・・・・・・・・・内方部材
５２・・・・・・・・・・・ハブ輪
５２ａ、５３ａ・・・・・・内側転走面
５３・・・・・・・・・・・内輪
５４・・・・・・・・・・・小径段部
５５・・・・・・・・・・・車輪取付フランジ
５５ａ・・・・・・・・・・側面
５６・・・・・・・・・・・ハブボルト
５６ａ・・・・・・・・・・ナール部
５７・・・・・・・・・・・環状溝
５８・・・・・・・・・・・ボルト穴
６０・・・・・・・・・・・外方部材
６０ａ、６０ｂ・・・・・・外側転走面
６１・・・・・・・・・・・車体取付フランジ
６２・・・・・・・・・・・保持器
６３・・・・・・・・・・・ボール
６４、６５・・・・・・・・シール
６６・・・・・・・・・・・相手部品
６７・・・・・・・・・・・カエリ
Ｌ・・・・・・・・・・・・ハブボルトの中心を結ぶ弦
δ・・・・・・・・・・・・逃げ部の段差
【図１】
2008049933.tif 000003
【図２】
2008049933.tif 000004
【図３】
2008049933.tif 000005
【図４】
2008049933.tif 000006
【図５】
2008049933.tif 000007
【図６】
2008049933.tif 000008
【図７】
2008049933.tif 000009
【図８】
2008049933.tif 000010
【図９】
2008049933.tif 000011
【図１０】
2008049933.tif 000012